(57)【特許請求の範囲】
【請求項１】
略二等辺直角三角形状の底面を有する柱状の光源ユニットであって、上記直角三角形の斜辺に相当する側面に対して略垂直な方向へ向けて光を放射する光源を有する光源ユニットと、出射ユニットとを有し、
上記出射ユニットは、
上記光源ユニットの上記光源が放射した光を入射する入光部と、上記入光部から入射した光を拡散した光を出射する出光部とを有する平板状の導光体を有し、
上記光源ユニットと係合して上記光源ユニットを着脱自在に固定する係合部を有し、
上記入光部は、上記導光体の側面角に設けられている
ことを特徴とする面発光装置。
【請求項２】
上記出射ユニットは、
上記導光体の側面を覆う枠部を有し、
上記入光部は、上記導光体の側面角を面取りして設けられ、
上記係合部は、上記枠部と上記入光部との間の隙間によって形成されている
ことを特徴とする請求項１に記載の面発光装置。
【請求項３】
上記係合部は、上記導光体の出射面に対して反対側の面に設けられた凹部であり、
上記入光部は、上記係合部の内壁に設けられている
ことを特徴とする請求項１に記載の面発光装置。
【請求項４】
請求項１乃至請求項３のいずれかに記載の面発光装置と、
上記面発光装置が出射した光によって照らされる表示体と
を有することを特徴とする表示装置。
【請求項５】
請求項１乃至請求項３のいずれかに記載の面発光装置と、
上記面発光装置が出射した光によって照らされて、避難誘導の図柄を表示する表示体とを有することを特徴とする誘導灯装置。
【発明の詳細な説明】
【技術分野】
【０００１】
この発明は、面状に発光する面発光装置及び、それを用いた表示装置及び誘導灯装置に関する。
【背景技術】
【０００２】
ＬＥＤなどの光源を導光板の角に配置した面状の光源ユニットがある。
【先行技術文献】
【特許文献】
【０００３】
【特許文献１】特開平１１−３０６８３１号公報
【発明の概要】
【発明が解決しようとする課題】
【０００４】
光源を導光板の角に配置する場合、光源の位置及び向きの精度が低いと、面全体を所望の輝度で発光させることができない場合がある。
特に、光源を交換可能に構成する場合、光源の位置決めの精度を高めることは難しい。
この発明は、例えば、光源を交換可能に構成しつつ、光源の位置決めの精度を高めることを目的とする。
【課題を解決するための手段】
【０００５】
この発明にかかる面発光装置は、光源を有する光源ユニットと、出射ユニットとを有し、
上記出射ユニットは、上記光源ユニットの上記光源が放射した光を入射する入光部と、上記入光部から入射した光を拡散した光を出射する出光部とを有する平板状の導光体を有し、上記光源ユニットと係合して上記光源ユニットを着脱自在に固定する係合部を有し、上記入光部は、上記導光体の側面角に設けられていることを特徴とする。
【発明の効果】
【０００６】
この発明にかかる面発光装置によれば、光源を交換可能に構成しつつ、光源の位置決めの精度を高めることができる。
【図面の簡単な説明】
【０００７】
【図１】実施の形態１における表示装置１０の外観を示す斜視図及び正視図。
【図２】実施の形態１における表示部１３の構造を示す斜視図。
【図３】実施の形態１における本体１２の構造を示す斜視図。
【図４】実施の形態１における出射ユニット３４の構造を示す斜視図。
【図５】実施の形態１における出射ユニット３４の構造を示す分解斜視図。
【図６】実施の形態１における出射ユニット３４の構造を示す分解拡大斜視図。
【図７】実施の形態１における光源ユニット３５の構造を示す拡大正視図及び拡大斜視図。
【図８】実施の形態１における光源回路部５３の構造を示す正視図及び斜視図。
【図９】実施の形態１におけるカバー５２の構造を示す正視図及び斜視図。
【図１０】実施の形態１における保持部５１の構造を示す正視図及び斜視図。
【図１１】実施の形態１における表示装置１０が放射する光の配光特性の測定結果を示す図。
【図１２】実施の形態１における表示装置１０が放射する光の配光特性の測定結果を示す図。
【図１３】実施の形態２における導光体４４の構造を示す正視図。
【図１４】実施の形態２における導光体４４の構造を示す部分拡大斜視図。
【発明を実施するための形態】
【０００８】
実施の形態１．
実施の形態１について、図１〜図１２を用いて説明する。
【０００９】
図１は、この実施の形態における表示装置１０の外観を示す斜視図及び正視図である。
【００１０】
表示装置１０は、内部で発した光により図形や文字などの情報を表示する装置である。例えば、表示装置１０は、避難誘導の図形を表示する誘導灯装置である。表示装置１０は、例えば、本体１２と、表示部１３とを有する。
本体１２は、例えば、直方体箱状であり、点灯装置などを内蔵する。
表示部１３（面発光装置）は、例えば、長方形板状であり、光源などを内蔵する。光源は、例えば、ＬＥＤや有機ＥＬなどである。光源は、点灯装置から供給される電力により発光し、図形や文字などを内側から照らす。
表示部１３は、本体１２に対して着脱自在に固定される。表示部１３を本体１２に固定する方式は、例えば、前後方向の嵌合、上下方向のスライド、ヒンジ構造による回転動作などがある。
なお、表示部１３は、例えば本体１２の背面側にも設けるなど、複数あってもよい。
【００１１】
図２は、この実施の形態における表示部１３の構造を示す斜視図である。
【００１２】
表示部１３は、例えば、出射ユニット３４と、２つの光源ユニット３５とを有する。
出射ユニット３４は、例えば、長方形板状である。出射ユニット３４は、表側の面（発光面）に、表示装置１０が表示する図形や文字などが印刷などにより描かれている。
それぞれの光源ユニット３５（光源部）は、光源を有する。一つの光源ユニット３５は、出射ユニット３４の裏側の面の左上角に配置されている。もう一つの光源ユニット３５は、出射ユニット３４の裏側の面の右上角に配置されている。
【００１３】
図３は、この実施の形態における本体１２の構造を示す斜視図である。
【００１４】
本体１２は、例えば、本体枠２６と、電源端子台２１と、点検スイッチ部２２と、点灯装置２３とを有し、蓄電池１４を内蔵する。
【００１５】
本体枠２６は、例えば板金などの金属や樹脂などで形成されている。本体枠２６は、例えば直方体箱状であり、表示部１３を取り付ける側の面のほぼ全面が開口している。
電源端子台２１は、本体枠２６の内側に固定されている。電源端子台２１には、商用電源などの外部電源からの配線（電源線）を接続する。電源端子台２１は、電源線から供給される電力を入力する。
蓄電池１４は、本体枠２６の内側に着脱自在に固定される。
点灯装置２３は、電源端子台２１を介して入力した電力により、蓄電池１４を充電する。また、点灯装置２３は、電源端子台２１を介して入力した電力を、光源ユニット３５の光源を点灯するための電力に変換する。更に、点灯装置２３は、外部電源の停電時において、蓄電池１４に充電した電力を、光源ユニット３５の光源を点灯するための電力に変換する。
点検スイッチ部２２は、本体枠２６の内側に固定されている。点検スイッチ部２２は、点検用のスイッチやモニタ用のＬＥＤなどを有する。本体枠２６の下側の面には、点検用のスイッチを操作するための開口や、モニタ用のＬＥＤを目視するための開口などが設けられている。
【００１６】
本体枠２６は、２つの電源穴６１，６２と、６つの取付穴６３〜６８とを有する。
電源穴６１は、本体枠２６の上側の面のほぼ中央に設けられた開口である。電源穴６２は、本体枠２６の裏側の面のほぼ中央に設けられた開口である。電源穴６１，６２は、電源端子台２１に接続する電源線を引き込むために設けられている。
取付穴６３〜６８は、ボルトなどの固定具を通すための開口穴である。
取付穴６３は、本体枠２６の上側の面に設けられている。
取付穴６５，６６は、本体枠２６の上側の面に設けられた開口である。取付穴６６は、電源穴６１を挟んで取付穴６３と反対側に設けられている。取付穴６５は、取付穴６６と電源穴６１との間に設けられている。
取付穴６３及び取付穴６５、あるいは、取付穴６３及び取付穴６６に木ネジなどの固定具を通して固定することにより、表示装置１０は、天井面などに固定される。
取付穴６４は、本体枠２６の裏側の面に設けられている。
取付穴６７，６８は、本体枠２６の裏側の面に設けられた開口である。取付穴６８は、電源穴６２を挟んで取付穴６４と反対側に設けられている。取付穴６７は、取付穴６８と電源穴６２との間に設けられている。
取付穴６４及び取付穴６７、あるいは、取付穴６４及び取付穴６８に木ネジなどの固定具を通して固定することにより、表示装置１０は、壁面などに固定される。
なお、電源穴６１，６２や、取付穴６３〜６８は、ノックアウト穴にして、表示装置１０を天井面や壁面などに固定する際に、必要な部分のみ開口させる構成であってもよい。
【００１７】
図４は、この実施の形態における出射ユニット３４の構造を示す斜視図である。
【００１８】
出射ユニット３４は、裏側の面に２つの係合部４１を有する。
それぞれの係合部４１は、光源ユニット３５と係合することにより、光源ユニット３５を着脱自在に固定する。一つの係合部４１は、例えば、出射ユニット３４の裏側の面の左上隅に設けられている。もう一つの係合部４１は、例えば、出射ユニット３４の裏側の面の右上隅に設けられている。
出射ユニット３４は、枠４２と、ケース４３とを有する。
枠４２は、例えば、長方形枠状である。
ケース４３は、例えば、長方形皿状であり、枠４２の内側にちょうど収まる大きさである。ケース４３は、左上角と右上角とが面取りされていて、枠４２との間に隙間が生じる。この隙間が、係合部４１を形成している。
【００１９】
図５は、この実施の形態における出射ユニット３４の構造を示す分解斜視図である。
【００２０】
出射ユニット３４は、図４で説明した枠４２と、ケース４３との間に、導光体４４と、表示体４５とを有する。
導光体４４は、例えば、長方形板状であり、ケース４３の内側にちょうど収まる大きさである。導光体４４は、例えば、２つの入光部４４１と、出光部４４２とを有する。それぞれの入光部４４１は、光源ユニット３５の光源が放射した光を入射する。入光部４４１の一つは、導光体４４の左上角を面取りすることにより形成されている。もう一つの入光部４４１は、導光体４４の右上角を面取りすることにより形成されている。出光部４４２は、導光体４４の表側の面のほぼ全面である。出光部４４２は、光出射用パターンを有する。光出射用パターンは、例えば、シボ、プリズム、ドット形状によるパターン、印刷によるパターンなどである。出光部４４２は、入光部４４１から導光体４４に入射した光を、光出射用パターンにより出射する。
表示体４５は、例えば、長方形板状であり、導光体４４とほぼ同じ大きさである。表示体４５は、例えば、半透明である。表示体４５は、表示面４５１を有する。表示面４５１には、図形が描かれている。表示面４５１は、導光体４４から出射した光により裏側から照らされる。
【００２１】
ケース４３は、例えば、底面部４３１と、下縁部４３２と、右縁部４３３と、左縁部４３４と、上縁部４３５と、２つの面取部４３６とを有する。
底面部４３１は、例えば、長方形板状であり、左上角及び右上角が面取りされている。底面部４３１の内側の面は、例えば白色に塗装され、あるいは、白色の樹脂などを用いることにより、白色に仕上げられている。底面部４３１の内側の面は、導光体４４の裏側（出光部４４２と反対側）の面から漏れ出る光を反射して導光体４４に戻す。
下縁部４３２は、例えば、長方形板状であり、底面部４３１の下側の辺に沿って、底面部４３１に対して垂直に形成されている。下縁部４３２の内側の面は、底面部４３１と同様、例えば白色に仕上げられていて、導光体４４の下側の面から漏れ出る光を反射して導光体４４に戻す。
右縁部４３３は、例えば、長方形板状であり、底面部４３１の右側の辺に沿って、底面部４３１に対して垂直に形成されている。右縁部４３３の下端は、下縁部４３２の右端と繋がっている。右縁部４３３の内側の面は、底面部４３１と同様、例えば白色に仕上げられていて、導光体４４の右側の面から漏れ出る光を反射して導光体４４に戻す。
左縁部４３４は、例えば、長方形板状であり、底面部４３１の左側の辺に沿って、底面部４３１に対して垂直に形成されている。左縁部４３４の下端は、下縁部４３２の左端と繋がっている。左縁部４３４の内側の面は、底面部４３１と同様、例えば白色に仕上げられていて、導光体４４の左側の面から漏れ出る光を反射して導光体４４に戻す。
上縁部４３５は、例えば、長方形板状であり、底面部４３１の上側の辺に沿って、底面部４３１に対して垂直に形成されている。上縁部４３５の内側の面は、底面部４３１と同様、例えば白色に仕上げられていて、導光体４４の上側の面から漏れ出る光を反射して導光体４４に戻す。
それぞれの面取部４３６は、例えば、長方形板状であり、入射部４３７を有する。１つの面取部４３６は、底面部４３１の右上角の面取りされている部分に沿って、底面部４３１に対して垂直に形成されている。もう一つの面取部４３６は、底面部４３１の左上角の面取りされている部分に沿って、底面部４３１に対して垂直に形成されている。面取部４３６の上端は、上縁部４３５と繋がっている。面取部４３６の下端は、右縁部４３３または左縁部４３４と繋がっている。
入射部４３７は、光源ユニット３５が放射した光を入射するために設けられている。入射部４３７は、例えば、開口や切り欠き、あるいは、樹脂などの透明材料などで構成された窓である。
【００２２】
枠４２は、出射部４２１を有する。出射部４２１は、表示体４５の表示面４５１を外部から視認できるように設けられている。出射部４２１は、例えば、開口や切り欠き、あるいは、樹脂などの透明材料などで構成された窓である。枠４２は、例えば一体成形によって形成される。これにより、複数の部品を繋ぎ合わせたときに生じる隙間がないので、隙間から光が漏れるのを防ぎ、表示装置１０の意匠性が高くなる。
【００２３】
図６は、この実施の形態における出射ユニット３４の構造を示す分解拡大斜視図である。
この図は、出射ユニット３４のうち、面取部４３６の付近を拡大した図である。この図は、ケース４３と、導光体４４と、表示体４５とを組み合わせたところを示し、枠４２は、描かれていない。
【００２４】
この例において、面取部４３６の入射部４３７は、切り欠きである。導光体４４の入光部４４１は、入射部４３７に係合する形状を有する。表示体４５も同様の形状を有する。面取部４３６と、入光部４４１と、表示体４５の側面とが、一つの平面を形成する。
【００２５】
図７は、この実施の形態における光源ユニット３５の構造を示す拡大正視図及び拡大斜視図である。
【００２６】
光源ユニット３５は、例えば、保持部５１と、カバー５２と、光源回路部５３とを有する。
光源回路部５３は、光源や、光源を実装した基板などによって構成されている。
カバー５２は、光源回路部５３の表側を覆う。これにより、基板上の配線パターンやはんだ面を保護する。
保持部５１は、光源回路部５３の裏側を覆うとともに、出射ユニット３４の係合部４１と着脱自在に係合して、光源ユニット３５を出射ユニット３４に固定する。
【００２７】
図８は、この実施の形態における光源回路部５３の構造を示す正視図及び斜視図である。
【００２８】
光源回路部５３（ＬＥＤ基板）は、例えば、基板５３１と、コネクタ５３２と、２つのＬＥＤ５３３とを有する。
基板５３１は、例えばプリント配線板である。基板５３１は、例えば長方形板状である。基板５３１には、例えば印刷やエッチングなどにより配線パターンが設けられている。
ＬＥＤ５３３（光源）は、例えば、面実装型白色ＬＥＤである。ＬＥＤ５３３は、例えばはんだ付けなどにより基板５３１の表側の面に実装されている。ＬＥＤ５３３は、例えば基板５３１の短辺の一つに近い位置に実装されている。２つのＬＥＤ５３３は、例えば基板５３１の短辺と平行な方向に並べて配置されている。ＬＥＤ５３３は、基板５３１に設けられた配線と電気接続している。２つのＬＥＤ５３３は、基板５３１に設けられた配線を介して、例えば直列に電気接続している。なお、ＬＥＤ５３３の数は、２つに限らず、１つでもよいし、３つ以上でもよい。ＬＥＤ５３３は、例えば、基板５３１に対して垂直な方向を光軸とする回転対称な配光を有する。ＬＥＤ５３３の配光特性は、光軸方向の光度が最も高く、半値角が例えば６０度である。
コネクタ５３２は、例えばはんだ付けなどにより基板５３１の表側の面に実装されている。コネクタ５３２は、例えば基板５３１の、ＬＥＤ５３３とは反対側の短辺に近い位置に実装されている。コネクタ５３２は、基板５３１に設けられた配線と電気接続している。コネクタ５３２は、基板５３１に設けられた配線を介して、ＬＥＤ５３３と電気接続している。コネクタ５３２は、例えば、点灯装置２３から光源に電力を供給するためのハーネスの先端に設けられたコネクタと係合して固定できる形状である。コネクタ５３２には、ハーネスのコネクタが、例えば、基板５３１の長辺と平行な方向の外側から横向きに差し込まれる。コネクタ５３２は、固定したハーネスを介して点灯装置２３と電気接続し、点灯装置２３から供給される電力を入力する。ＬＥＤ５３３は、コネクタ５３２を介して、点灯装置２３から電力の供給を受け、発光する。
【００２９】
図９は、この実施の形態におけるカバー５２の構造を示す正視図及び斜視図である。
【００３０】
カバー５２は、例えば、基板表面覆部５２１と、基板上側覆部５２３と、基板左側覆部５２４と、基板右側覆部５２５と、コネクタ天面覆部５２７と、コネクタ左側覆部５２８と、コネクタ右側覆部５２９と、コネクタ裏側覆部５３０とを有する。
【００３１】
基板表面覆部５２１は、基板５３１の表側の面のうち、コネクタ５３２が実装されていない部分を覆う。基板表面覆部５２１は、例えば長方形板状である。基板表面覆部５２１は、光源対応部５２２を有する。光源対応部５２２は、基板５３１に実装されているＬＥＤ５３３に対応する部分に設けられている。光源対応部５２２は、例えば、開口や切り欠き、あるいは、樹脂などの透明材料で構成された窓である。光源対応部５２２は、ＬＥＤ５３３が放射した光を、カバー５２の外部に出射する。
光源ユニット３５を出射ユニット３４に取り付けると、基板表面覆部５２１の外側の面が、面取部４３６に当接する。光源対応部５２２の大きさは、入光部４４１とほぼ同じか、入光部４４１よりもやや小さい。光源対応部５２２から出射した光は、入光部４４１から導光体４４に入射する。
【００３２】
基板上側覆部５２３は、基板５３１のＬＥＤ５３３が実装されている側の短辺である上側の側面を覆う。基板上側覆部５２３は、例えば長方形板状であり、基板表面覆部５２１の一辺に沿って、基板表面覆部５２１に対して垂直に形成されている。
基板左側覆部５２４は、基板５３１の長辺の一つである左側の側面を覆う。基板左側覆部５２４は、例えば長方形板状であり、基板表面覆部５２１の一辺に沿って、基板表面覆部５２１に対して垂直に形成されている。基板左側覆部５２４の一方の端は、基板上側覆部５２３と繋がっている。基板左側覆部５２４のもう一方の端は、基板表面覆部５２１よりも長く形成されていて、基板５３１の左側の側面をすべて覆う。
基板右側覆部５２５は、基板５３１のもう一つの長辺である右側の側面を覆う。基板右側覆部５２５は、例えば長方形板状であり、基板表面覆部５２１の一辺に沿って、基板表面覆部５２１に対して垂直に形成されている。基板右側覆部５２５の一方の端は、基板上側覆部５２３と繋がっている。基板右側覆部５２５のもう一方の端は、基板表面覆部５２１よりも長く形成されていて、基板５３１の右側の側面をすべて覆う。
基板上側覆部５２３、基板左側覆部５２４及び基板右側覆部５２５によって構成されるコ字状の側面覆部の裏側には、基板係合部５２６が形成されている。
基板係合部５２６は、例えばコ字状の凹部であり、基板５３１の縁と係合して、カバー５２と光源回路部５３との間の位置関係を決める。
【００３３】
コネクタ天面覆部５２７は、基板５３１に実装されたコネクタ５３２の天面を覆う。コネクタ天面覆部５２７は、例えば長方形板状である。
コネクタ左側覆部５２８は、コネクタ５３２の左側の側面を覆う。コネクタ左側覆部５２８は、例えば長方形板状であり、基板左側覆部５２４とコネクタ天面覆部５２７との間を繋いでいる。コネクタ左側覆部５２８は、基板左側覆部５２４と平行であり、基板左側覆部５２４の基板表面覆部５２１と接続していない部分と繋がっている。また、コネクタ左側覆部５２８は、コネクタ天面覆部５２７に対して垂直であり、コネクタ天面覆部５２７の一辺に繋がっている。
コネクタ右側覆部５２９は、コネクタ５３２の右側の側面を覆う。コネクタ右側覆部５２９は、例えば長方形板状であり、基板右側覆部５２５とコネクタ天面覆部５２７との間を繋いでいる。コネクタ右側覆部５２９は、基板右側覆部５２５と平行であり、基板右側覆部５２５の基板表面覆部５２１と接続していない部分と繋がっている。また、コネクタ右側覆部５２９は、コネクタ天面覆部５２７に対して垂直であり、コネクタ天面覆部５２７の一辺に繋がっている。
コネクタ裏側覆部５３０は、コネクタ５３２の裏側の側面を覆う。コネクタ裏側覆部５３０は、例えば長方形板状であり、コネクタ天面覆部５２７とコネクタ左側覆部５２８とコネクタ右側覆部５２９との間を繋いでいる。
コネクタ天面覆部５２７、コネクタ左側覆部５２８、コネクタ右側覆部５２９及びコネクタ裏側覆部５３０は、コネクタ覆部を構成している。コネクタ５３２のハーネスを差し込む側の側面は、覆われない。なお、コネクタ裏側覆部５３０の側は、光源ユニット３５を出射ユニット３４に取り付けると、ケース４３の外側の面に覆われるので、コネクタ裏側覆部５３０を設けない構成であってもよい。
【００３４】
図１０は、この実施の形態における保持部５１の構造を示す正視図及び斜視図である。
【００３５】
保持部５１は、例えばアルミなどの金属や放熱性樹脂など熱伝導率の高い材料で形成されている。これにより、光源で発生した熱を効率よく放熱する。保持部５１は、例えば、基部５１１と、出射係合部５１２と、本体係合部５１３とを有する。
基部５１１は、例えば長方形板状であり、基板５３１の裏側の面に当接する。基部５１１の長辺である側面は、例えば４５度のテーパーを有し、基板５３１から離れるほど、基部５１１の短辺方向が短くなる。
出射係合部５１２は、例えば側辺のなす角が９０度の等脚台形板状であり、基部５１１の短辺の一つに沿って、基部５１１に対して垂直に形成されている。出射係合部５１２の側辺である側面は、基部５１１の長辺である側面と一つの平面を形成している。
本体係合部５１３は、例えば側辺のなす角が９０度の等脚台形板状であり、基部５１１のもう一つの短辺に沿って、基部５１１に対して垂直に形成されている。本体係合部５１３の側辺である側面は、基部５１１の長辺である側面と一つの平面を形成している。
【００３６】
保持部５１とカバー５２とは、例えば接着などにより固定される。なお、保持部５１とカバー５２とは、例えばねじなどの固定部材を用いて固定される構成であってもよいし、嵌合爪などの構造が嵌合することにより固定される構成であってもよい。
【００３７】
光源ユニット３５を出射ユニット３４に取り付けると、基部５１１の長辺である側面と出射係合部５１２の側辺である側面とが、枠４２の内側の面に当接する。また、出射係合部５１２の外側の面も、枠４２の内側の面に当接する。これにより、光源ユニット３５は、係合部４１に係合して固定される。
【００３８】
図１１は、この実施の形態における表示装置１０が放射する光の配光特性の測定結果を示す図である。
横軸は、測定装置に対して表示体４５の表面がなす水平方向の角度（測定角度）を示す。縦軸は、測定角度が０度である場合を基準とした相対照度を示す。実線８１は、測定結果を表わす。
【００３９】
２つの光源ユニット３５のうち、左側の光源ユニット３５だけを点灯し、表示体４５として透明のポリメタクリル酸メチル樹脂（ＰＭＭＡ）を用いて、導光体４４と表示体４５との間に光学シートを配置して、照度を測定した。
左側の光源ユニット３５だけを点灯しているので、配光特性は、左右非対称になっているが、右側の光源ユニット３５も点灯すれば、配光特性は、実線８１と、実線８１を左右反転したカーブとの和になり、左右対称になる。
【００４０】
比較のため、光源ユニット３５を出射ユニット３４の角ではなく、上辺に設けた場合、及び、側辺に設けた場合についても測定をした。点線８２は、光源ユニット３５を出射ユニット３４の上辺に設けた場合の測定結果を表わす。一点鎖線８３は、光源ユニット３５を出射ユニット３４の側辺に設けた場合の測定結果を表わす。
【００４１】
光源ユニット３５を出射ユニット３４の角または側辺に設けると、上辺に設けた場合よりも、斜め方向から見た場合の照度が高く、視認性が高くなる。
しかし、光源ユニット３５を側辺に設けると、光源の数が少ない場合に、光源と光源との間に輝度ムラが生じやすい。これに対し、光源ユニット３５を角に設けると、輝度ムラの発生を抑えることができる。
【００４２】
図１２は、この実施の形態における表示装置１０が放射する光の配光特性の測定結果を示す図である。
横軸は、測定角度を示す。縦軸は、相対照度を示す。実線８４は、測定結果を表わす。
【００４３】
２つの光源ユニット３５のうち、左側の光源ユニット３５だけを点灯し、表示体４５として乳白色のＰＭＭＡを用いて、表示体４５の表面の照度を測定した。
左側の光源ユニット３５だけを点灯しているが、表示体４５で光が拡散するので、配光特性は、左右対称になっている。これより、表示体４５が十分な拡散性能を持つ場合には、光源ユニット３５を左右対称に設ける必要はなく、光源ユニット３５が１つだけでもよいことがわかる。
【００４４】
比較のため、光源ユニット３５を出射ユニット３４の角ではなく、上辺に設けた場合（点線８５）、及び、側辺に設けた場合（一点鎖線８６）についても測定をしたが、相対照度に大きな差は見られなかった。
【００４５】
以上のように、光源ユニット３５を出射ユニット３４の角に設けることにより、様々な角度からの視認性が向上し、輝度ムラを抑えることができる。
光源ユニット３５を出射ユニット３４と着脱自在に構成することにより、使用者が容易に光源を交換することができる。
光源ユニット３５が係合部４１と係合して固定されることにより、光源ユニット３５を交換しても、光源を所定の位置に所定の向きに配置することが容易にできる。これにより、表示品質を向上することができる。
【００４６】
なお、上述したように、光源ユニット３５の数は、１つでもよい。逆に、光源ユニット３５の数は、３つ以上であってもよい。
光源ユニット３５は、導光体４４の上側の角ではなく、下側の角に配置される構成であってもよい。
出射ユニット３４は、少なくとも一つの角を有する板状であれば、長方形板状でなくてもよい。
また、導光体４４の前後に、プリズムシートや拡散シートなどの光制御部材や、反射シートなどの反射材を設ける構成であってもよい。
また、光源ユニット３５及び係合部４１は、バネなどの弾性体や爪などにより構成された嵌合構造を有し、嵌合構造が嵌合することにより、係合した光源ユニット３５と係合部４１とが外れにくくする構成であってもよい。
【００４７】
また、入射部４３７や出射部４２１や光源対応部５２２などを透明材料で構成する場合、別部品として構成してもよいし、二色成形などにより一体に成形する構成であってもよい。
また、保持部５１は、熱伝導率の低い材料で形成してもよい。
【００４８】
また、表示体４５に表示装置１０が表示する情報を描くのでなく、液晶表示装置を表示体４５として用いる構成であってもよい。
また、点灯装置２３と光源ユニット３５との間の接続は、ハーネスとコネクタとではなく、例えば、接続片と刃受けとで行う構成であってもよいし、リード線を直接はんだ付けするなど容易に取り外せないように接続する構成であってもよい。
【００４９】
実施の形態２．
実施の形態２について、図１３〜図１４を用いて説明する。
なお、実施の形態１と共通する部分については、同一の符号を付し、説明を省略する。
【００５０】
この実施の形態における表示装置１０の外観、構造は、実施の形態１と同様なので、異なる点のみを説明する。
【００５１】
図１３は、この実施の形態における導光体４４の構造を示す正視図である。
【００５２】
導光体４４は、面取りを有さず、その代わり、２つの係合穴４４３（凹部、係合部）を有する。
係合穴４４３の一つは、導光体４４の左上角の近くに設けられている。もう一つの係合穴４４３は、導光体４４の右上角の近くに設けられている。係合穴４４３は、例えば等脚台形形状であり、光源ユニット３５と係合して、光源ユニット３５を固定する。
【００５３】
図１４は、この実施の形態における導光体４４の構造を示す部分拡大斜視図である。
この図は、導光体４４のうち、係合穴４４３の付近を拡大した図である。
【００５４】
係合穴４４３の下底辺である側面は、入光部４４１を形成している。入光部４４１は、係合穴４４３に係合して固定された光源ユニット３５の光源が発した光を、導光体４４のなかに入射する。
【００５５】
このような構成としても、実施の形態１と同様の効果を奏する。
【００５６】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
【符号の説明】
【００５７】
１０  表示装置、１２  本体、１３  表示部、１４  蓄電池、２１  電源端子台、２２  点検スイッチ部、２３  点灯装置、２６  本体枠、３４  出射ユニット、３５  光源ユニット、４１  係合部、４２  枠、４２１  出射部、４３  ケース、４３１  底面部、４３２  下縁部、４３３  右縁部、４３４  左縁部、４３５  上縁部、４３６  面取部、４３７  入射部、４４  導光体、４４１  入光部、４４２  出光部、４４３  係合穴、４５  表示体、４５１  表示面、５１  保持部、５１１  基部、５１２  出射係合部、５１３  本体係合部、５２  カバー、５２１  基板表面覆部、５２２  光源対応部、５２３  基板上側覆部、５２４  基板左側覆部、５２５  基板右側覆部、５２６  基板係合部、５２７  コネクタ天面覆部、５２８  コネクタ左側覆部、５２９  コネクタ右側覆部、５３０  コネクタ裏側覆部、５３  光源回路部、５３１  基板、５３２  コネクタ、５３３  ＬＥＤ、６１，６２  電源穴、６３〜６８  取付穴、８１，８４  実線、８２，８５  点線、８３，８６  一点鎖線。
【図１】
0005901407.tif 000002
【図２】
0005901407.tif 000003
【図３】
0005901407.tif 000004
【図４】
0005901407.tif 000005
【図５】
0005901407.tif 000006
【図６】
0005901407.tif 000007
【図７】
0005901407.tif 000008
【図８】
0005901407.tif 000009
【図９】
0005901407.tif 000010
【図１０】
0005901407.tif 000011
【図１１】
0005901407.tif 000012
【図１２】
0005901407.tif 000013
【図１３】
0005901407.tif 000014
【図１４】
0005901407.tif 000015